(57)【要約】【課題】  補助光の照射方向の調整が容易な低コストの補助光発光装置、その補助光発光装置を備えた撮影装置、およびその補助光発光装置の調整方法を提供することを目的とする。【解決手段】  被写体に向けて補助光を発光する補助光発光装置において、発光光出射面２０３ａが凸球面に形成されるとともにリード線２０２が突出した発光素子２０３と、リード線２０２の先端が固定された基板２０４と、発光素子２０３からの発光光を入射し透過させて被写体に向けて補助光を照射する、発光素子側の面２０５ａが凹球面に形成された窓部材２０５とを備えた。【選択図】        図５
2008129487.tif 000002
【特許請求の範囲】
【請求項１】
撮像素子上に被写体を結像して画像データを生成する撮影装置において、
被写体に向けて補助光を発光する補助光発光装置を備え、
前記補助光発光装置が、
発光光出射面が凸球面に形成されるとともにリード線が突出した発光素子と、
前記リード線の先端が固定された基板と、
前記発光素子からの発光光を入射し透過させて被写体に向けて補助光を照射する、該発光素子側の面が凹球面に形成された窓部材とを備えたことを特徴とする撮影装置。
【請求項２】
被写体に向けて補助光を発光する補助光発光装置において、
発光光出射面が凸球面に形成されるとともにリード線が突出した発光素子と、
前記リード線の先端が固定された基板と、
前記発光素子からの発光光を入射し透過させて被写体に向けて補助光を照射する、該発光素子側の面が凹球面に形成された窓部材とを備えたことを特徴とする補助光発光装置。
【請求項３】
前記窓部材が、前記発光素子側の凹球面から突出して該発光素子の発光光出射側の凸球面に接する３つの突起部を有することを特徴とする請求項２記載の補助光発光装置。
【請求項４】
前記３つの突起部は、正三角形の３つの頂点位置に設けられたものであることを特徴とする請求項３記載の補助光発光装置。
【請求項５】
前記窓部材は、補助光出射側の面が凸球面に形成されたものであることを特徴とする請求項２記載の補助光発光装置。
【請求項６】
前記窓部材の補助光出射側の凸球面は、該窓部材の、前記発光素子側の凹球面への入射光を該入射光の入射方向と同一の方向に出射する曲率を有する凸球面であることを特徴とする請求項５記載の補助光発光装置。
【請求項７】
発光光出射面が凸球面に形成されるとともにリード線が突出した発光素子と、前記リード線の先端が固定された基板と、前記発光素子からの発光光を入射し透過させて被写体に向けて補助光を照射する、該発光素子側の面が凹球面に形成された窓部材とを備えた、被写体に向けて補助光を発光する補助光発光装置における、補助光出射方向を調整する調整方法であって、
前記窓部材に前記発光素子の発光面を当てて前記基板の位置を移動させることにより、該窓部材から補助光が所望の方向に出射されるように該発光素子の向きを調整し、
調整後の基板を固定することを特徴とする調整方法。
【発明の詳細な説明】
【技術分野】
【０００１】
本発明は、いわゆるデジタルカメラやデジタルビデオカメラなどの撮影装置、その撮影装置に備えられる補助光発光装置、およびその補助光発光装置の補助光出射方向を調整する調整方法に関する。
【背景技術】
【０００２】
最近、デジタルカメラなどの撮影装置において、被写体に向けてＡＦ（オートフォーカス）用の補助光を照射する補助光発光装置を備えた撮影装置が広く用いられている。このＡＦ用補助光はその照射方向に向かって強い指向性を有するものであることが要求されており、限定された光量で所定位置を所望の照度で照射するために、補助光発光装置の前方の所定位置において照度がピークを示す方向に向けて補助光を出射する必要がある。
【０００３】
このような補助光発光装置の光源としては、ＬＥＤ（Ｌｉｇｈｔ  Ｅｍｉｔｔｉｎｇ  Ｄｉｏｄｅ）が広く用いられているが、製造条件のばらつきなどにより補助光の照射方向が変動し、補助光発光装置の前方の所定位置から外れた位置で照度がピークを示す製品が発生する恐れがある。
【０００４】
そこで、このように照射方向にばらつきのある製品を有効活用するために補助光発光装置の照射方向を調節する技術が種々提案されている。
【０００５】
例えば、発光源を備える発光手段と、発光源から放射される光を光軸方向に反射する反射手段と、この反射手段に対する発光源の相対的な位置が、光軸方向および光軸に垂直な平面内の少なくとも一方向に変位可能となるように発光手段を保持するものであって、一部位のみに力を加えるだけで少なくとも２方向の変位が可能な保持機構とを具備したカメラの投光装置が開示されている（例えば、特許文献１参照）。
【特許文献１】特開平１１−１７４５３４号公報
【発明の開示】
【発明が解決しようとする課題】
【０００６】
しかし、上記特許文献１に開示された方法では、複雑な構造の保持機構を必要とするため、補助光発光装置のコストアップを招くという問題がある。
【０００７】
本発明は、上記事情に鑑み、補助光の照射方向の調整が容易な低コストの補助光発光装置、その補助光発光装置を備えた撮影装置、およびその補助光発光装置の調整方法を提供することを目的とする。
【課題を解決するための手段】
【０００８】
上記目的を達成する本発明の撮影装置は、
撮像素子上に被写体を結像して画像データを生成する撮影装置において、
被写体に向けて補助光を発光する補助光発光装置を備え、
上記補助光発光装置が、
発光光出射面が凸球面に形成されるとともにリード線が突出した発光素子と、
上記リード線の先端が固定された基板と、
上記発光素子からの発光光を入射し透過させて被写体に向けて補助光を照射する、該発光素子側の面が凹球面に形成された窓部材とを備えたことを特徴とする。
【０００９】
本発明の撮影装置によれば、発光光出射面が凸球面に形成された発光素子と、発光素子側の面が凹球面に形成された窓部材とを備えたことにより、発光素子と窓部材との相対位置が調整しやすいため、補助光の照射方向の調整が容易な低コストの補助光発光装置を備えた撮影装置を得ることができる。
【００１０】
また、上記目的を達成する本発明の補助光発光装置は、
被写体に向けて補助光を発光する補助光発光装置において、
発光光出射面が凸球面に形成されるとともにリード線が突出した発光素子と、
上記リード線の先端が固定された基板と、
上記発光素子からの発光光を入射し透過させて被写体に向けて補助光を照射する、該発光素子側の面が凹球面に形成された窓部材とを備えたものであってもよい。
【００１１】
本発明の補助光発光装置によれば、発光光出射面が凸球面に形成された発光素子と、発光素子側の面が凹球面に形成された窓部材とを備えたことにより、発光素子と窓部材との相対位置が調整しやすいため、補助光の照射方向の調整が容易な低コストの補助光発光装置を得ることができる。
【００１２】
また、上記窓部材が、上記発光素子側の凹球面から突出して該発光素子の発光光出射側の凸球面に接する３つの突起部を有するものであってもよい。
【００１３】
本発明の補助光発光装置を上記のように構成した場合は、上記３つの突起部により発光素子と窓部材との相対位置が一定に保たれるので、補助光の照射方向が安定する。
【００１４】
また、上記３つの突起部は、正三角形の３つの頂点位置に設けられたものであってもよい。
【００１５】
本発明の補助光発光装置を上記のように構成した場合は、上記３つの突起部による発光素子と窓部材との相対位置をさらに安定させることができるので、補助光の照射方向がさらに安定的に維持される。
【００１６】
また、上記窓部材の補助光出射側の凸球面は、該窓部材の、上記発光素子側の凹球面への入射光を該入射光の入射方向と同一の方向に出射する曲率を有する凸球面であってもよい。
【００１７】
本発明の補助光発光装置を上記のように構成した場合は、照射された補助光を発散させることなく被写体に照射させることができる。
【００１８】
また、上記目的を達成する本発明の調整方法は、発光光出射面が凸球面に形成されるとともにリード線が突出した発光素子と、上記リード線の先端が固定された基板と、上記発光素子からの発光光を入射し透過させて被写体に向けて補助光を照射する、該発光素子側の面が凹球面に形成された窓部材とを備えた、被写体に向けて補助光を発光する補助光発光装置における、補助光出射方向を調整する調整方法であって、
上記窓部材に上記発光素子の発光面を当てて上記基板の位置を移動させることにより、該窓部材から補助光が所望の方向に出射されるように該発光素子の向きを調整し、
調整後の基板を固定することを特徴とする。
【００１９】
本発明の調整方法によれば、発光光出射面が凸球面に形成された発光素子と、発光素子側の面が凹球面に形成された窓部材とを備えたことにより、発光素子と窓部材との相対位置が調整しやすい上に、発光素子のリード線の先端が基板に固定されているので、基板を移動させてリード線を撓ませるることにより容易に補助光の照射方向を調整することができる。
【発明の効果】
【００２０】
本発明によれば、補助光の照射方向の調整が容易な低コストの補助光発光装置、その補助光発光装置を備えた撮影装置、およびその補助光発光装置の調整方法を実現することができる。
【発明を実施するための最良の形態】
【００２１】
以下、図を参照して本発明の実施の形態を説明する。なお、以下に示す各実施形態では、本発明の撮影装置の一例として、主として静止画像を撮影するデジタルカメラについて説明するが、本発明の撮影装置、補助光発光装置、および調整方法は、静止画撮影用のデジタルカメラのみに限定されるものではなく、例えば、デジタルビデオカメラなどにも適用することができる。
【００２２】
図１は、本発明の一実施形態であるデジタルカメラを斜め上前方から見た外観斜視図である。
【００２３】
図１に示すデジタルカメラ１００は、被写体光を捉えて画像データを生成するものであり、カメラの筐体であるボディ１１３と、光学ズームレンズを内蔵した鏡胴１１１と、撮影に同期してフラッシュ光を発するフラッシュ発光装置１１２と、被写体に補助光を照射してＡＦ（オートフォーカス）精度を向上させるための補助光発光装置２００と、電源スイッチ１１４と、レリーズボタン１１５と、静止画モード、動画モードなど撮影モードを交互に切り換えるための回転式のモードダイヤル１１６とを備えている。
【００２４】
図２は、図１に示すデジタルカメラの背面を示す外観図である。
【００２５】
図２に示すデジタルカメラ１００の背面には、ＬＣＤ１１７、ＥＶＦ１２４、ＭＥＮＵ／ＯＫボタン１１８、ＤＩＳＰ／ＢＡＣＫボタン１１９、フォトモードボタン１２０、再生ボタン１２１、十字ボタン１２２、ズームボタン１２３、およびファインダ切替ボタン１２５などが備えられている。
【００２６】
ＬＣＤ１１７は、撮影レンズにより被写体光を捉えて生成された画像データからなる画像、および種々の設定時における情報を表示するものである。
【００２７】
ＥＶＦ１２４は、目で覗いて画像を視認する一種のファインダであり、撮影レンズにより被写体光を捉えて生成された画像、および種々の設定時における情報を表示するものである。
【００２８】
ＭＥＮＵ／ＯＫボタン１１８は、撮影時や再生時における各種のメニューをＬＣＤ１１７に表示させたり、表示されたメニューの中から所望のメニューを選択し決定するためのボタンである。
【００２９】
ＤＩＳＰ／ＢＡＣＫボタン１１９は、ＬＣＤ１１７に表示された画面の状態を切り換えたり、ＭＥＮＵ／ＯＫボタン１１８等による操作を１つ前の状態に戻したり操作を取り消したりするためのボタンである。
【００３０】
フォトモードボタン１２０は、ピクセル数，感度，色味，プリント枚数等を設定するためのボタンである。
【００３１】
再生ボタン１２１は、後述する記録媒体１０５９に記録された撮影画像を、ＬＣＤ１１７に再生表示するためのボタンである。
【００３２】
十字ボタン１２２は、様々なモードでその役割が変化し、例えば静止画モードではマクロボタンやフラッシュボタンであったり、再生モードではＬＣＤ１１７に表示したサムネイルの選択ボタンであったりする。マクロボタンは、マクロ撮影を行なうか否かを切り換えるためのボタンであり、一度押下するとマクロ撮影モードとなり、再度押下するとマクロ撮影モードが解除される。フラッシュボタンは、押下する毎に、オートフラッシュ、赤目低減フラッシュ、強制フラッシュ、フラッシュ禁止、スローシャッタでのフラッシュ、およびオートフラッシュというようにフラッシュの状態を順繰りに切り換えるためのボタンである。
【００３３】
ズームボタン１２３は、右方に向けて押下することにより望遠側（テレ側）にズームアップするとともに左方に向けて押下することにより広角側（ワイド側）にズームダウンするためのボタンである。
【００３４】
ファインダ切替ボタン１２５は、ＬＣＤ１１７への表示とＥＶＦ１２４への表示とを切り替えるためのボタンである。
【００３５】
次に、図１、図２に示したデジタルカメラの回路構成について説明する。
【００３６】
図３は、図１、図２に示したデジタルカメラ１００の回路構成を示すブロック図である。
【００３７】
図３に示すように、このデジタルカメラ１００には、撮影レンズ１０２１と、絞り機構１０３１と、被写体光を捉えて画像信号を生成する撮像素子１０４１と、撮影レンズ１０２１を駆動するレンズ駆動部１１０１と、撮像素子１０４１を駆動する撮像素子駆動部１１０２とが備えられている。
【００３８】
また、このデジタルカメラ１００には、このデジタルカメラ１００全体を制御するシステム制御回路１１０と、ユーザがこのデジタルカメラ１００を操作するための操作部１０６１と、基準クロックを生成して各種の信号処理回路に供給するための信号処理回路クロック部１００５と、システム制御回路１１０からのクロックに基づいて撮像素子駆動部１１０２に供給するためのクロックを生成する撮像回路クロック部１１０３とが備えられている。
【００３９】
さらに、このデジタルカメラ１００には、撮像素子１０４１からのアナログ画像信号を処理するアナログ信号処理部１０５１と、アナログ信号処理部１０５１で処理されたアナログ信号をデジタル信号に変換するＡ／Ｄ変換回路１０５２が備えられている。
【００４０】
また、このデジタルカメラ１００には、画像データ等を格納するメインメモリ１０５４と、そのメインメモリ１０５４を制御するメモリ制御部１０５３と、Ａ／Ｄ変換されたデジタル信号を処理するデジタル信号処理部１０５５と、画像データの圧縮処理や伸張処理を行なう圧縮伸張処理部１０５６と、低輝度でコントラストの低い被写体に補助光を照射してＡＦ（オートフォーカス）精度を向上させるための補助光発光装置２００（図１参照）と、補助光発光装置２００の発光を制御する補助光制御部１０５７と、夜間撮影や室内撮影の際の光量を補うためのフラッシュ発光装置１１２（図１参照）と、フラッシュ発光装置１１２の充電・発光を制御するフラッシュ制御部１０８０とが備えられている。
【００４１】
さらに、このデジタルカメラ１００には、撮影した画像信号を記録する記録媒体１０５９ヘの記録および記録媒体１０５９からの画像の再生を制御する外部メモリ制御部１０５８と、カメラスルー画や再生画をＥＶＦ１２４およびＬＣＤ１１７に表示するための制御を行なう表示制御部１０６０が備えられている。尚、ＥＶＦ１２４およびＬＣＤ１１７には、カメラスルー画や再生画を表示する画像表示パネルと、その画像表示パネルを裏面から照明するバックライトとが備えられている。
【００４２】
次に、このデジタルカメラ１００の基本動作について説明する。
【００４３】
このデジタルカメラ１００では、電源が投入されると被写体光が撮影レンズ１０２１を通って撮像素子１０４１上の受光面に結像されて画像信号が生成される。生成されたスルー画を表わす画像信号（以下スルー画信号）は、アナログ信号処理部１０５１で処理されＡ／Ｄ変換回路１０５２でアナログ信号からデジタル信号に変換され、デジタルに変換された画像信号はシステム制御回路１１０の制御の基で、ＲＧＢのスルー画信号からＹＣ信号のスルー画信号に変換され、圧縮伸張処理部１０５６により圧縮された後、メモリ制御部１０５３の制御の基でメインメモリ１０５４に導かれてそこに記憶される。メインメモリ１０５４に記憶された１フレーム分のスルー画信号はメモリ制御部１０５３により読み出され、表示制御部１０６０に導かれ、表示制御部１０６０の制御の基に、ＥＶＦ１２４（図２参照）またはＬＣＤ１１７（図２参照）により画像として表示される。
【００４４】
ここで、ユーザによりレリーズボタン１１５（図１，図２参照）が半押しされると、本実施形態のデジタルカメラ１００の補助光発光装置２００による一連のオートフォーカス処理が開始される。
【００４５】
図４は、本実施形態のデジタルカメラ１００における補助光発光装置の動作を示すフローチャートである。
【００４６】
すなわち、レリーズボタン１１５の半押しによりオートフォーカス処理が開始されると、図４に示すように、先ずオートフォーカス前に一度測光が行われ（ステップＳ０１）、システム制御回路１１０（図３参照）により、被写体が低輝度であるか否かの判定が行われる（ステップＳ０２）。
【００４７】
ステップＳ０２における判定の結果、被写体が低輝度であると判定されたときは補助光制御部１０５７（図３参照）の制御の基に補助光発光装置２００（図１、図３参照）による補助光発光が行われ（ステップＳ０３）、レンズ駆動部１１０１（図３参照）によるオートフォーカスが行われる（ステップＳ０４）。このとき、補助光制御部１０５７は、システム制御回路１１０からの測光結果に基づき補助光を発光させる。このとき補助光発光装置２００に印加する電圧値を制御することにより発光光量を調整するのが好ましい。
【００４８】
一方、ステップＳ０２における判定の結果、被写体が十分な輝度を有していると判定されたときは補助光発光を行わずにオートフォーカスが行われる（ステップＳ０４）。
【００４９】
オートフォーカスが行われた後、補助光が点灯状態にあるか否かが判定され（ステップＳ０５）、補助光が点灯状態にあるときには補助光は消灯され（ステップＳ０６）、一連のオートフォーカス処理を終了し、撮影動作の段階に移行する。一方、補助光が消灯状態にあるときにはそのまま一連のオートフォーカス処理を終了し、撮影動作の段階に移行する。
【００５０】
撮影動作の段階に移行した後、レリーズボタン１１５（図１，図２参照）が半押し状態から全押し状態とされることにより撮像が行われる。
【００５１】
次に、本発明の補助光発光装置について説明する。
【００５２】
図５は、本発明の補助光発光装置の第１の実施形態の断面図である。
【００５３】
この補助光発光装置２００は、図１〜図３を参照して説明したデジタルカメラ１００に備え付けられ、被写体に向けて補助光を発光するために用いられるものであり、図５（ａ）に示すように、発光素子２０３と、基板２０４と、窓部材２０５とを備えている。
【００５４】
発光素子２０３は、補助光を出射する発光光出射面２０３ａが凸球面に形成されるとともに２本のリード線２０２が突出している。この２本のリード線２０２は、調整中に互いに接触してショートしてしまうのを防止するため、片方又は両方のリード線をテープ、スポンジ、又はゴムなどで覆っておくことが好ましい。
【００５５】
基板２０４には、リード線２０２の先端２０２ａが固定されている。
【００５６】
窓部材２０５の、発光素子２０３からの発光光を入射し透過させて被写体に向けて補助光を照射する、発光素子２０３側の面２０５ａは、凹球面に形成されている。
【００５７】
この補助光発光装置２００は、窓部材２０５をデジタルカメラ１００（図１，２参照）のボディの開口部１１３ａに嵌め込み、リード線２０２の先端２０２ａによって発光素子２０３が固定された基板２０４を、発光素子２０３の凸球面状の発光光出射面２０３ａが窓部材２０５の凹球面状の面２０５ａと接触した状態でボディ１１３の一部１１３ｂに固定されることによって組み立てられる。
【００５８】
この補助光発光装置２００は、撮像素子１０４１（図３参照）上に被写体を結像して画像データを生成するデジタルカメラ１００（図１〜３参照）に備えられ、低輝度でコントラストの低い被写体を照射してＡＦ（オートフォーカス）精度を向上させるためのＡＦ用の補助光を発光するものであり、光源としては例えばＬＥＤなどが用いられる。この補助光発光装置２００は、図１に示したように、鏡胴１１１の近傍に配置されている。
【００５９】
この補助光発光装置２００から出射される補助光は、照射方向に向かって強い指向性を有するものであることが要求されており、限定された光量で所定位置を所望の照度で照射するために、補助光発光装置の前方の所定位置において照度がピークを示すように補助光を出射する必要がある。
【００６０】
しかし、発光素子２０３および窓部材２０５の製造時の寸法誤差、発光素子２０３の基板２０４への取付誤差、ボディの開口部１１３ａの寸法誤差などの原因により、発光素子２０３が固定された基板２０４をカメラボディに単に取り付けただけでは、上記のような補助光発光装置が得られる保証はない。そこで、上記のように、補助光が補助光発光装置の前方の所定位置において照度がピークを示すように発光素子２０３の向きを調整する必要がある。
【００６１】
図５（ｂ）および図５（ｃ）は、発光素子２０３の向きの調整方法を示す図である。
【００６２】
すなわち、窓部材２０５をボディ１１３に固定しておき、窓部材２０５の凹球面２０５ａに発光素子２０３の発光光出射面２０３ａを当てて基板２０４の位置を矢印Ａ方向又はＢ方向に移動させることにより、窓部材２０５から補助光が所望の方向に出射されるように発光素子２０３の向きを調整し、調整後の基板２０４をボディの一部１１３ｂに固定する。
【００６３】
このように、基板２０４を矢印Ａ方向又はＢ方向に移動させると、リード線２０２は自らの弾性により図示のように撓み、発光素子２０３の発光光出射面２０３ａと窓部材２０５の凹球面状の面２０５ａとが互いに反対方向にスライドし合い発光素子２０３の向きを容易に調整することができる。
【００６４】
ここで、本発明の調整方法について説明する。
【００６５】
本発明の調整方法の一実施形態は、図１〜図５を参照して説明したデジタルカメラ１００の補助光発光装置２００における、補助光出射方向を調整する調整方法であって、窓部材２０５（図５参照）に発光素子２０３（図５参照）の発光面２０３ａ（図５参照）を当てて基板２０４（図５参照）の位置を移動させることにより、窓部材２０５から補助光が所望の方向に出射されるように発光素子２０３の向きを調整し、調整後の基板２０４を固定することにより行われる。
【００６６】
図６は、本発明の調整方法の一実施形態で用いられる発光素子調整用治具および調整チャートを示す図である。
【００６７】
本実施形態の調整方法では、図６に示すように、窓部材を取り付けたカメラボディの窓部材２０３（図５参照）の凹球面に発光素子２０３の発光面を当てた状態で仮止めしたデジタルカメラ１００を、発光素子調整用治具３００に固定して、デジタルカメラ１００の補助光発光装置から補助光を出射し、出射された補助光がデジタルカメラ１００から所定の距離離れて設置された調整チャート３０１に照射されるようにする。
【００６８】
このとき、デジタルカメラ１００の撮影レンズ１０２１（図３参照）の光軸が、調整チャート３０１上の目印３０２と一致するようにカメラの向きを調整しておく。
【００６９】
そして、図５（ｂ）および図５（ｃ）に示したように、基板２０４の位置を矢印Ａ方向又はＢ方向に移動させることにより、補助光発光装置から出射された補助光が調整チャート３０１上の目印３０２を照射するように発光素子２０３の向きを調整する。
【００７０】
図７は、本実施形態の調整方法におけるカメラボディへの基板の固定方法を示す図である。
【００７１】
図７に示すように、基板２０４には２つの開口２０４ａが設けられており、一方、カメラボディの一部１１３ｂの、基板２０４側の開口２０４ａに対応する位置には突起部２０４ｂが形成されている。このように構成したことにより、調整時に基板２０４のＡ方向又はＢ方向（図５（ｂ）および図５（ｃ）参照）へのスライド量が大きくなり過ぎて発光素子のリード線２０２（図５参照）が折損するのを防止することができる。調整終了後は、開口２０４ａに接着剤を塗布することによって基板２０４はボディの一部１１３ｂに固定される。
【００７２】
次に、本発明の補助光発光装置の第２の実施形態について説明する。
【００７３】
図８は、第２の実施形態の補助光発光装置の断面図である。
【００７４】
図８に示すように、第２の実施形態の補助光発光装置４００では、窓部材４０５が、発光素子４０３側の凹球面から突出して該発光素子４０３の発光光出射側の凸球面４０３ａに接する３つの突起部４０４を有している。
【００７５】
このように構成したことにより、発光素子の向きを調整する際に、発光素子４０３と窓部材４０５とが直接擦り合うことが防止され、発光素子４０３および窓部材４０５の損傷を防止することができる。
【００７６】
次に、本発明の補助光発光装置の第３の実施形態について説明する。
【００７７】
図９は、第３の実施形態の補助光発光装置の上面図である。
【００７８】
図９に示すように、第３の実施形態の補助光発光装置５００では、図８を参照して説明した第２の実施形態の補助光発光装置４００と同様、窓部材５０５は３つの突起部５０４を有しているが、この３つの突起部５０４は、発光素子５０３の断面上の正三角形の頂点位置に設けられている。このように構成したことにより、発光素子５０３と窓部材５０５との相対位置が一定に保たれるので、補助光の照射方向が安定する。
【００７９】
次に、本発明の補助光発光装置の第４の実施形態について説明する。
【００８０】
図１０は、第４の実施形態の補助光発光装置の断面図であり、図１１は、第４の実施形態の補助光発光装置の作用を説明するための参考図である。
【００８１】
図１０に示すように、第４の実施形態の補助光発光装置６００では、窓部材６０５は、補助光出射側の面６０５ｂが凸球面に形成されたものとなっている。
【００８２】
このように構成したことにより、発光素子６０３の光源から出射された光６０３ａは、図示のように、窓部材６０５の面６０５ｂから発散することなく被写体に向かって照射される。
【００８３】
これに対して、図１１に示すように、窓部材の補助光出射側の面６０５ｃを平面に形成した場合には、窓部材６０５の面６０５ｃから出射された光は図示のように発散した状態で照射される。そのため、被写体に到達したときの補助光の照度は低下してしまう。
【００８４】
次に、本発明の補助光発光装置の第５の実施形態について説明する。
【００８５】
図１２は、第５の実施形態の補助光発光装置の断面図である。
【００８６】
図１２に示すように、第５の実施形態の補助光発光装置７００では、窓部材７０５の補助光出射側の凸球面７０５ｂは、窓部材７０５の、発光素子７０３側の凹球面７０５ａへの入射光を該入射光の入射方向と同一の方向に出射する曲率を有する凸球面に形成されている。
【００８７】
このように構成したことにより、図示のように、補助光７０１は、窓部材７０５の凸球面７０５ｂから平行光として出射される。
【００８８】
一般に、窓部材７０５（図１２参照）の凹球面状の面７０５ａの曲率半径をＲ１ｍｍ、窓部材７０５の補助光出射側の面７０５ｂの曲率半径をＲ２ｍｍ、窓部材７０５の厚さをｄｍｍ、窓部材７０５の屈折率をｎとしたときの窓部材７０５のレンズとしての焦点距離ｆは、次の式（１）により求められる。
【００８９】
ｆ＝（Ｒ１Ｒ２）／（（ｎ−１）ｎ（Ｒ２−Ｒ１）＋（ｎ−１）ｄ）  ・・・（１）
ここで、窓部材の焦点距離ｆが無限大（窓部材７０５に屈折力を持たせない）のときは、上記式（１）は、
（ｎ−１）（ｎ（Ｒ２−Ｒ１）＋（ｎ−１）ｄ）＝０  ・・・（２）
となり、これを変形して
Ｒ２−Ｒ１＝ｄ（ｎ−１）／ｎ  ・・・（３）
が得られる。
【００９０】
上記式（３）を満たすとき、窓部材７０５は屈折力を持たないので、光源から出た光の出射方向は変化せず、平行光として出射される。
【図面の簡単な説明】
【００９１】
【図１】本発明の一実施形態であるデジタルカメラを斜め上前方から見た外観斜視図である。
【図２】図１に示すデジタルカメラの背面を示す外観図である。
【図３】図１、図２に示したデジタルカメラ１００の回路構成を示すブロック図である。
【図４】本実施形態のデジタルカメラ１００における補助光発光装置の動作を示すフローチャートである。
【図５】本発明の補助光発光装置の第１の実施形態の断面図である。
【図６】本発明の調整方法の一実施形態で用いられる発光素子調整用治具および調整チャートを示す図である。
【図７】本実施形態の調整方法におけるカメラボディへの基板の固定方法を示す図である。
【図８】第２の実施形態の補助光発光装置の断面図である。
【図９】第３の実施形態の補助光発光装置の上面図である。
【図１０】第４の実施形態の補助光発光装置の断面図である。
【図１１】第４の実施形態の補助光発光装置の作用を説明するための参考図である。
【図１２】第５の実施形態の補助光発光装置の断面図である。
【符号の説明】
【００９２】
１００    デジタルカメラ
１１０    システム制御回路
１１１    鏡胴
１１２    フラッシュ発光装置
１１３    ボディ
１１３ａ    開口部
１１３ｂ    一部
１１４    電源スイッチ
１１５    レリーズボタン
１１６    モードダイヤル
１１７    ＬＣＤ
１１８    ＭＥＮＵ／ＯＫボタン
１１９    ＤＩＳＰ／ＢＡＣＫボタン
１２０    フォトモードボタン
１２１    再生ボタン
１２２    十字ボタン
１２３    ズームボタン
１２４    ＥＶＦ
１２５    ファインダ切替ボタン
２００    補助光発光装置
２０２    リード線
２０２ａ    先端
２０３    発光素子
２０３ａ    発光光出射面
２０４    基板
２０４ａ    開口
２０４ｂ    突起部
２０５    窓部材
２０５ａ    面
３００    発光素子調整用治具
３０１    調整チャート
３０２    目印
４００    補助光発光装置
４０３    発光素子
４０３ａ    凸球面
４０４    突起部
４０５    窓部材
５００    補助光発光装置
５０３    発光素子
５０４    突起部
５０５    窓部材
６００    補助光発光装置
６０３    発光素子
６０３ａ    光
６０５    窓部材
６０５ｂ，６０５ｃ    面
７００    補助光発光装置
７０１    補助光
７０３    発光素子
７０５    窓部材
７０５ａ    凹球面
７０５ｂ    凸球面
１００５    信号処理回路クロック部
１０２１    撮影レンズ
１０４１    撮像素子
１０５１    アナログ信号処理部
１０５２    Ａ／Ｄ変換回路
１０５３    メモリ制御部
１０５４    メインメモリ
１０５５    デジタル信号処理部
１０５６    圧縮伸張処理部
１０５７    補助光制御部
１０５８    外部メモリ制御部
１０５９    記録媒体
１０６０    表示制御部
１０６１    操作部
１０８０    フラッシュ制御部
１１０１    レンズ駆動部
１１０２    撮像素子駆動部
１１０３    撮像回路クロック部
【図１】
2008129487.tif 000003
【図２】
2008129487.tif 000004
【図３】
2008129487.tif 000005
【図４】
2008129487.tif 000006
【図５】
2008129487.tif 000007
【図６】
2008129487.tif 000008
【図７】
2008129487.tif 000009
【図８】
2008129487.tif 000010
【図９】
2008129487.tif 000011
【図１０】
2008129487.tif 000012
【図１１】
2008129487.tif 000013
【図１２】
2008129487.tif 000014